(57)【要約】      （修正有）【課題】強く書いても倒れにくい、安定性が改良されたホワイトボードスタンド及びホワイトボードを提供する。【解決手段】クロスビーム２は２つの側立柱１の間に配置され、２つのベース３はそれぞれ２つの側立柱の底部に配置される。各ベースは、クロスビームとの夾角は９０°であり、各側立柱は上から下へ順に折曲部１１と直棒部１２を有し、前記折曲部と直棒部の垂直延長線との夾角は５°〜１０°に設定され、前記折曲部には取付穴１１１が設けられ、ホワイトボード本体は回転可能に２つの側立柱の折曲部の間に固定的に配置される。上記の設計によれば、本開示のホワイトボードは、安定した良好な構造を有し、書き込みに便利である。【選択図】図１
0003232249.tif 000002
【実用新案登録請求の範囲】
【請求項１】
2つの側立柱、少なくとも1つのクロスビームと2つのベースを備える改良されたホワイトボードスタンドであって、
前記クロスビームは2つの側立柱の間に配置され、2つのベースはそれぞれ2つの側立柱の底部に配置され、各ベースはクロスビームとの夾角は90°であり、各側立柱は上から下へ順に折曲部と直棒部とを有し、前記折曲部と直棒部の垂直延長線との夾角は 5°-10°の角度に設定され、前記折曲部には取付穴が設けられている、
ことを特徴とする改良されたホワイトボードスタンド。
【請求項２】
前記直棒部は、ベースの中央に垂直に配置され、ベースに溶接される、
ことを特徴とする請求項１に記載のホワイトボードスタンド。
【請求項３】
ホワイトボード本体、請求項１又は請求項２に記載のホワイトボードスタンド、ピボットシャフト、第１の接続部品、第２の接続部品、ボルト及びノブを備えるホワイトボードであって、
前記ホワイトボード本体の片側にはピボットシャフトが固定され、該ピボットシャフトのもう一方の端部は側立柱の折曲部の取付穴を貫通し、前記ホワイトボード本体の反対側には第1の接続部品が固定され、前記第1の接続部品のホワイトボード本体から離れた端面には多数の位置決め突起が円周方向に沿って均一に設けられ、第１の接続部品の中央に第１のスルーホールが設けられ、前記第２の接続部品は側立柱の折曲部の内側に固定されて第１の接続部品と対面し、該第２の接続部品には、第１の接続部品の位置決め突起に対応する多数の溝が円周方向に沿って均一に設けられ、第２の接続部品は、中央に第2のスルーホールが設けられ、該第2のスルーホールはそれぞれ第1のスルーホールと側立柱の取付穴とを貫通し、前記ボルトは内側から外へ順に第1のスルーホール、第2のスルーホール、取付穴を貫通し外へ突き出し、前記ボルトの突き出し部分はノブと互いにねじ込まれ、該ボルトのエンドキャップは第1の接続部品に当接することができ、ホワイトボード本体の両側のピボットシャフトとボルトのそれぞれと２つの側立柱の取付穴の間の枢動軸との接続により、ホワイトボード本体を2つの側立柱の間に回転可能に配置でき、さらに、ノブを回してボルトの突き出し部分の長さを調整し、そして第1の接続部品と第2の接続部品との間のギャップを調整することにより、ホワイトボード本体の2つの側立柱の間の角度が調整可能な固定が実現される、
ことを特徴とするホワイトボード。
【請求項４】
ホワイトボード本体、請求項１又は請求項２に記載のホワイトボードスタンド、２つの第１の接続部品、２つの第２の接続部品、２つのボルト及び２つのノブを備えるホワイトボードであって、
２つの第１の接続部品がそれぞれホワイトボード本体の両側に固定され、2つの第2の接続部品はそれぞれ2つの側立柱の内側に固定されて第1の接続部品に対面し、前記第1の接続部品のホワイトボード本体から離れた端面には円周方向に沿って多数の位置決め突起が均一に配置され、第１の接続部品の中央に第１のスルーホールが設けられ、前記第２の接続部品は、第１の接続部品の位置決め突起に対応する多数の溝が円周方向に沿って均一に配置され、第2の接続部品の中央には第2のスルーホールが設けられ、第2のスルーホールはそれぞれ第1のスルーホールと側立柱の取付穴とを貫通し、2つのボルトはそれぞれ内側から外へ順に第1のスルーホール、第2のスルーホール、取付穴を貫通して外へ突き出し、前記ボルトの突き出し部分とノブは互いにねじ込まれ、前記ボルトのエンドキャップは第1の接続部品に当接し、ホワイトボード本体の両側の2つのボルトのそれぞれと２つの側立柱の取付穴の間の枢動軸との接続により、ホワイトボード本体が２つの側立柱の間に回転可能に配置され、さらに、ノブをそれぞれ回してボルトの突き出し部分の長さを調整することにより、ホワイトボード本体の2つの側立柱の間の角度が調整可能な固定が実現される、
ことを特徴とするホワイトボード。
【請求項５】
前記第１の接続部品がアーチ橋の形状であり、中央アーチ領域のホワイトボード本体から離れた端面には円周方向に沿って多数の位置決め突起が均一に設けられ、そして第1のスルーホールが設けられ、前記ボルトのエンドキャップは第1の接続部品の中央アーチ領域に当接し、前記第1の接続部品の両端はそれぞれホワイトボード本体に固定される、
ことを特徴とする、請求項３又は請求項４に記載のホワイトボード。
【請求項６】
複数のキャスターをさらに備え、前記キャスターはそれぞれ２つのベースに取り付けられ、前記クロスビームは、ホワイトボード本体の底部近くにトレーを備える、
ことを特徴とする、請求項３又は請求項４に記載のホワイトボード。
【考案の詳細な説明】
【技術分野】
【０００１】
本開示は、職場及び教育向けの設備の技術分野に関し、特に、改良されたホワイトボードスタンド及びこの改良されたホワイトボードスタンドを備えるホワイトボードに関する。
【背景技術】
【０００２】
ホワイトボードは、繰り返し消去したり書き込んだりできる書き込み設備であり、通常、教育、会議のディスカッション、個人や家族のメモに使用される。既存のホワイトボードには、ホワイトボード本体、ホワイトボードスタンド、キャスターが備えられる。従来のホワイトボードスタンドには、2本の直立サポートロッド、サポートロッドと一体に形成されたベース、2本のサポートロッド間に跨るクロスビームが備えられる。ホワイトボード本体は、2本のサポートロッドの間に設置され、キャスターがベースに取り付けられる。
【０００３】
従来のホワイトボードは安定性が悪く、ホワイトボード本体が強く書かれると倒れやすい。
【考案の概要】
【０００４】
背景技術で述べた「ホワイトボードスタンドが倒れやすい」という技術的問題を解決するために、本開示は改良されたホワイトボードスタンドを開示する。該ホワイトボードスタンドは、2つの側立柱、少なくとも1つのクロスビームと2つのベースを備え、前記クロスビームは2つの側立柱の間に配置され、2つのベースはそれぞれ2つの側立柱の底部に配置され、各ベースはクロスビームとの夾角は90°であり、各側立柱は上から下へ順に折曲部と直棒部を有し、前記折曲部と直棒部の垂直延長線との夾角は 5°-10°の角度に設定され、前記折曲部には取付穴が設けられている。
【０００５】
上記ホワイトボードスタンドを使用して製造されるホワイトボードの一実施形態によれば、ホワイトボードはホワイトボード本体、請求項１又は請求項２に記載のホワイトボードスタンド、ピボットシャフト、第１の接続部品、第２の接続部品、ボルト及びノブを備え、前記ホワイトボード本体の片側はピボットシャフトに固定され、該ピボットシャフトのもう一方の端部は側立柱の折曲部の取付穴を貫通し、前記ホワイトボード本体の反対側は第1の接続部品に固定され、前記第1の接続部品のホワイトボード本体から離れた端面には円周方向に沿って多数の位置決め突起が均一に設けられ、第１の接続部品の中央に第１のスルーホールが設けられ、前記第２の接続部品は側立柱の折曲部の内側に固定されて第１の接続部品と対面し、該第２の接続部品には、第１の接続部品の位置決め突起に対応する多数の溝が円周方向に沿って均一に設けられ、第２の接続部品は、中央に第2のスルーホールが設けられ、該第2のスルーホールはそれぞれ第1のスルーホールと側立柱の取付穴とを貫通し、前記ボルトは内側から外へ順に第1のスルーホール、第2のスルーホール、取付穴を貫通し外へ突き出し、前記ボルトの突き出し部分はノブと互いにねじ込まれ、該ボルトのエンドキャップは第1の接続部品に当接することができ、ホワイトボード本体の両側のピボットシャフトとボルトのそれぞれと２つの側立柱の取付穴の間の枢動軸との接続により、ホワイトボード本体を2つの側立柱の間に回転可能に配置でき、さらに、ノブを回してボルトの突き出し部分の長さを調整し、そして第1の接続部品と第2の接続部品との間のギャップを調整することにより、ホワイトボード本体の2つの側立柱の間の角度が調整可能な固定が実現される。
【０００６】
上記ホワイトボードスタンドを使用して製造されるホワイトボードの他の一実施形態によれば、ホワイトボードは、ホワイトボード本体、請求項１又は請求項２に記載のホワイトボードスタンド、２つの第１の接続部品、２つの第２の接続部品、２つのボルト及び２つのノブを備え、２つの第１の接続部品がそれぞれホワイトボード本体の両側に固定され、2つの第2の接続部品はそれぞれ2つの側立柱の内側に固定されて第1の接続部品に対面し、前記第1の接続部品のホワイトボード本体から離れた端面には円周に沿って多数の位置決め突起が均一に配置され、第１の接続部品の中央に第１のスルーホールが設けられ、前記第２の接続部品は、第１の接続部品の位置決め突起に対応する多数の溝が円周方向に沿って均一に配置され、第2の接続部品の中央には第2のスルーホールが設けられ、第2のスルーホールはそれぞれ第1のスルーホールと側立柱の取付穴とを貫通し、2つのボルトはそれぞれ内側から外へ順に第1のスルーホール、第2のスルーホール、取付穴を貫通して外へ突き出し、前記ボルトの突き出し部分とノブは互いにねじ込まれ、前記ボルトのエンドキャップは第1の接続部品に当接し、ホワイトボード本体の両側の2つのボルトのそれぞれと２つの側立柱の取付穴の間の枢動軸との接続により、ホワイトボード本体が２つの側立柱の間に回転可能に配置され、さらに、ノブをそれぞれ回してボルトの突き出し部分の長さを調整することにより、ホワイトボード本体の2つの側立柱の間の角度が調整可能な固定が実現される。
【０００７】
上記の設計によれば、ホワイトボードスタンドの側立柱の折曲部の設計により、ホワイトボード本体をホワイトボードスタンドに取り付けると、ホワイトボード本体が回転し、傾斜角が側立柱の折曲部の曲げ角度と一致するようになり、第1の接続部品と第2の接続部品が互いにねじ込まれて固定されることにより、ホワイトボードの書き込み面は後方に傾斜した角度（この傾斜した角度が、ホワイトボードの折曲部と直棒部の垂直延長線との夾角とほぼ一致である）があるため、書くときに手のひらをある程度支えて、長時間の書き込みの疲れを軽減できる。ホワイトボード本体は、書かれる時に圧力Fが加えられ、この圧力Fは、垂直方向で下への力F1と水平方向で後への力F2とに分解されることができる。一方、従来のホワイトボードのホワイトボード本体は垂直に配置され（即ち、ホワイトボード本体と垂直面との間の角度は０°であり）、この場合ホワイトボード本体が書かれる時に加えられる圧力Fが水平方向で後ろへ向き、Ｆ２ ＜Ｆであるため、本開示のホワイトボードが書かれる際に、そのホワイトボードスタンドが後ろに倒れにくく、書き込みがより安定になる。
【図面の簡単な説明】
【０００８】
【図１】本開示の第１の実施形態の部分分解図１である。
【図２】図１のAの拡大図である。
【図３】本開示の第１の実施形態の部分分解図２である。
【図４】図３のBの拡大図である。
【図５】本開示の第１の実施形態の立体図である。
【図６】本開示の第１の実施形態の正面図である。
【図７】図６のCの拡大図である。
【図８】本開示の第１の実施形態の側面図である。
【図９】本開示の第２の実施形態の部分分解図である。
【考案を実施するための形態】
【０００９】
本開示の実施形態を以下で詳細に説明する。実施形態の例は、添付の図面に示され、同じ又は類似の参照番号は、常に同じ又は類似の要素又は同じ又は類似の機能を有する要素を示す。添付の図面を参照して以下で説明する実施形態は例示的なものであり、本開示を説明することを意図するが、本開示を限定するものとして理解すべきではない。
【００１０】
図１〜図９に示すように、本開示は、２つの側立柱１、少なくとも１つのクロスビーム２及び２つのベース３を備えるホワイトボードスタンド１０を開示する。各ベース３はクロスビーム２との夾角が９０°であり、この実施形態では、２つのクロスビーム２が設置される。
【００１１】
各側立柱１は、上から下へ順に折曲部１１と直棒部１２とを有し、折曲部１１と直棒部１２の垂直延長線との夾角は５°〜１０°の角度に設定され、折曲部１１には取付穴１１１が設けられ、直棒部１２には複数のロック穴１３が設けられている。
【００１２】
この実施形態では、２つのクロスビーム２が２つの側立柱１の間に跨って配置され、多数のスクリュー１４によって２つの側立柱１の間にロックされる。当然、２つのクロスビーム２を２つの側立柱１の間に溶接することもできる。クロスビーム２のホワイトボード本体２０に近い下端にはトレー８が設けられており、このトレー８は、ホワイトボードマーカー及び消しゴムを配置するために使用されることができる。
【００１３】
２つのベース３は、それぞれ２つの側立柱１の下部に配置されている。具体的には、２つの直棒部１２は、それぞれ２つのベース３の中央に垂直に配置され、ベース３に溶接されている。具体的には、各ベース３にはスルーホールが予め設けられ、直棒部１２が挿入されてから上下に溶接される。上記の設計によれば、ホワイトボードスタンド１０を安定して地面に置くことが保証される。
【００１４】
好ましくは、各ベース３の長さは４５０ｍｍから６００ｍｍに設定される。これにより、ホワイトボードスタンド１０の安定性を実現できるだけでなく、材料を節約し、それによって製造コストを削減することもできる。
【００１５】
本開示はさらに、ホワイトボード１００を開示する。ホワイトボード１００は、上記のホワイトボードスタンド１０、ホワイトボード本体２０及びキャスター３０を備える。前記ホワイトボード本体２０は、２つの側立柱１の間に回転可能に固定されている。ホワイトボードの片面は、ライティングボード又はプロジェクションボードとして使用できる。キャスター３０は、ホワイトボード１００の動きを容易にするためにベース３上に配置されている。ホワイトボード１００は２つの実装形態があり、以下、図面を参照しながらこれらの実装形態について詳細に説明する。
【００１６】
実施形態1：
図１から図８に示すように、ホワイトボード１００はさらに、２つのノブ７、２つのボルト６、２つの第１の接続部品４、２つの第２の接続部品５、及び複数のネジ９を備える。
【００１７】
図２に示すように、前記第１の接続部品４はアーチ橋の形状であり、中央アーチ領域４４のホワイトボード本体20から離れた端面には円周方向に沿って複数の位置決め突起４１が均一に設けられ、そして第1のスルーホール42が設けられている。前記第１の接続部品４の両端にはそれぞれ第３のスルーホール４３が設けられており、２本のネジ９がそれぞれ第１の接続部品４を第３のスルーホール４３を介してホワイトボード本体２０の側面にロックする。
【００１８】
図２に示すように、第２の接続部品５には、位置決め突起４１に対応する複数の溝５１が円周方向に沿って均一に設けられ、前記第２の接続部品５の中央には、第２の貫通孔５２が設けられている。該第２のスルーホール５２は、それぞれ、側立柱１の第１のスルーホール４２と取付穴１１１とを貫通し、前記第２の接続部品５の両端には、それぞれ第４のスルーホール５３が設けられ、２つのネジ９が、それぞれ第４のスルーホール５３を介して各第２の接続部品５を各側柱１の内側にロックされ、前記第２の接続部品５は第１の接続部品４に対面する。
【００１９】
図３及び図４に示すように、２つのボルト６は、それぞれ内側から外へ順に第１のスルーホール４２、第２のスルーホール５２、及び取付穴１１１を貫通し外へ突き出る。前記ボルト６の突き出し部分６１及びノブ７は互いにねじ込まれ、前記ボルト６のエンドキャップは、第１の接続部品４の中央アーチ領域４４に当接することができる。
【００２０】
本開示の第１の実施形態のホワイトボード１００を使用する場合、ホワイトボード本体２０をホワイトボードスタンド１０に固定する時、まず、２つのノブ７がそれぞれ緩められ、２つのボルトの突き出し部分６１の長さがそれぞれ緩められる。よって、２つのボルト６のエンドキャップは、それぞれ対応する第１の接続部品４の中央アーチ領域４４から分離され、次に、第１の接続部品４と第２の接続部品５との間のギャップが、第１の接続部４の位置合わせ突起４１と第２の接続部５の溝５１を分離するように調整される。次にホワイトボード本体２０を回転し、その傾斜角が側立柱１の折曲部１１の曲げ角度と一致するようにする。これによって書く際に手のひらがある程度支えられて、長時間の書き込みの疲れが軽減される。最後に、ホワイトボード本体20がホワイトボードスタンド10に固定される。具体的には、第１の接続部品４の中央アーチ領域４４がそれぞれボルト６のエンドキャップ及び第２の接続部品の下端面に当接するように２つのボルト６の突き出し部分６１の長さを調整し、さらに、第１の接続部品４及び第２の接続部品５が互いに係合し、２つのノブ７がそれぞれ締め付けられて、ホワイトボード本体２０が２つの側立柱１の間に固定される。ホワイトボード本体２０は、書き込み時に、書き込み時に加えられる圧力Ｆを受ける。この圧力Ｆは、垂直方向で下への力Ｆ１と水平方向で後への力Ｆ２に分解されることができる。一方、従来のホワイトボード本体は、垂直に配置される（即ち、ホワイトボード本体と垂直面との夾角は０°である）。このとき、ホワイトボード本体は、書き込みときに加えられる水平方向で後への圧力Ｆを受ける。Ｆ２ ＜Ｆであるため、本開示のホワイトボード１００のホワイトボードスタンド１０は、書き込み中に後ろへ倒れにくく、書き込みをより安定にする。
【００２１】
実施形態2：
図９に示すように、この実施形態のホワイトボード１００は、ピボットシャフト４０、第１の接続部品４、第２の接続部品５、ボルト６及びノブ７、をさらに備える。前記ホワイトボード本体２０の片側はピボットシャフト４０に固定的に接続され、このピボットシャフト４０のもう一方の端部は、側立柱１の折曲部１１の取付穴１１１を貫通する。前記ホワイトボード本体２０の反対側と対応する側立柱１との接続関係は、第１の実施形態と同じであり、同じく第１の接続部品４及び第２の接続部品５が互いに係合することによって固定されるものである。この実施形態では、ホワイトボード本体２０の両側のピボットシャフト４０及びボルト６が、それぞれ２つの側立柱１の取付穴１１１に枢動可能に接続されることにより、ホワイトボード本体２０は、２つの側柱1の間に回転可能に配置され得る。
【００２２】
本開示の第２の実施形態のホワイトボード１００を使用する場合、ホワイトボード本体２０をホワイトボードスタンド１０に固定する時、まずノブ７を緩め、ボルト６の突き出し部分６１の長さを調整して、ボルト６のエンドキャップと第１の接続部品４の中央アーチ領域４４を分離し、次に第１の接続部品４と第２の接続部品５との間のギャップを、第１の接続部４の位置合わせ突起４１と第２の接続部５の溝５１を分離するように調整する。次に、ホワイトボード本体２０を回転させて、その傾斜角が側立柱１の折曲部１１の曲げ角度と一致するようにする。これによって書く際に手のひらがある程度支えられて、長時間の書き込みの疲れが軽減される。最後に、ホワイトボード本体20がホワイトボードスタンド10に固定される。具体的には、第１の接続部品４の中央アーチ領域４４がそれぞれボルト６のエンドキャップ及び第２の接続部品の下端面に当接するように、２つのボルト６の突き出し部分６１の長さを調整し、さらに、第１の接続部品４及び第２の接続部品５が互いに係合し、２つのノブ７がそれぞれ締め付けられて、ホワイトボード本体２０を２つの側立柱１の間に固定する。
【００２３】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【符号の説明】
【００２４】
1…側立柱、11…折曲部、111…取付穴、12…直棒部、13…ロック穴、14…スクリュー、２…クロスビーム、３…ベース、４…第１の接続部品、４１…位置決め突起、４２…第１のスルーホール、４３…第３のスルーホール、４４…中央アーチ領域、５…第２の接続部品、５１…溝、５２…第２のスルーホール、５３…第４のスルーホール、6…ボルト、61…突き出し部分、7…ノブ、8…トレー、9…ネジ、１００…ホワイトボード、１０…ホワイトボードスタンド、２０…ホワイトボード本体、３０…キャスター、４０…ピボットシャフト。
【図１】
0003232249.tif 000003
【図２】
0003232249.tif 000004
【図３】
0003232249.tif 000005
【図４】
0003232249.tif 000006
【図５】
0003232249.tif 000007
【図６】
0003232249.tif 000008
【図７】
0003232249.tif 000009
【図８】
0003232249.tif 000010
【図９】
0003232249.tif 000011